(57)【要約】【課題】薄く軽量であって、且つ鉄筋の腐食の問題がなく、人力で運搬・設置が可能であるセメント系硬化材パネルと、それを使用した盛土表面の壁面構造を提供する。【解決手段】セメント系硬化材パネル１の厚みの中に、多数本の合成樹脂繊維を絡ませた補強素材２を配する。表裏面のうち少なくとも一方側の表面には、補強材料６を貼付してなる、表裏面のうち一方側の表面から、控え材７を伸ばす。盛土表面側に鋼製壁面枠９を複数段に積み上げ、その鋼製壁面枠９の背後に盛土１０を行うとともに、盛土１０表面に沿って、水平方向に連続する通り調整材１１を取付ける。パネル１を、鋼製壁面枠９に添わして配設するとともに、控え材７を通り調整材１１から盛土１０の上に伸ばして押える。【選択図】図３
2010150777.tif 000002
【特許請求の範囲】
【請求項１】
多数本の合成樹脂繊維を絡ませた補強素材を、厚みの中に配してなるセメント系硬化材パネル。
【請求項２】
表裏面のうち少なくとも一方側の表面には、補強材料を貼付してなる、
請求項１に記載のセメント系硬化材パネル。
【請求項３】
表裏面のうち一方側の表面から、控え材を伸ばしてなる、
請求項１又は２記載のセメント系硬化材パネル。
【請求項４】
前記した控え材が、補強材料の一部を伸ばしたものであることを特徴とする、
請求項３記載のセメント系硬化材パネル。
【請求項５】
盛土表面に配置して盛土を覆う壁面構造であって、
盛土表面側に鋼製壁面枠を複数段に積み上げ、その鋼製壁面枠の背後に盛土を行うとともに、
盛土表面に沿って、水平方向に連続する通り調整材を取付け、
裏面側に控え材を取り付けたセメント系硬化材パネルを、鋼製壁面枠に添わして配設するとともに、
裏面の控え材を通り調整材から盛土の上に伸ばして、その上の盛土によって控え材を押えることを特徴とする、
盛土表面の壁面構造。
【請求項６】
セメント系硬化材パネルは、上下に複数段積み上げ、上方の段のセメント系硬化材パネルの下端部が、下方の段のセメント系硬化材パネルの上端部表面側と重なることを特徴とする、
請求項５記載の盛土表面の壁面構造。
【発明の詳細な説明】
【技術分野】
【０００１】
本発明は主として、建築・土木の分野で使用するセメント系硬化材パネルに関するものであって、特に新素材を使用して薄く成形したセメント系硬化材パネル及びそれを使用した盛土表面の壁面構造に関するものである。
【背景技術】
【０００２】
斜面保護のためなどの盛土構造において、盛土表面を覆う構造としては、盛土の表面に沿ってコンクリートブロックやコンクリートパネルを配置する構造が広く採用されている。
例えば特開２００８−１３３６８２号公報に記載されているように、盛土表面から離れてプレキャストコンクリートパネルを設置し、上下のパネル間に緊張ロッドを貫通させてグラウト材を注入して固定し、背後にはアンカー材を伸ばして、繰り返し盛土するという施工を行うものである。
【０００３】
上記したような盛土構造の施工では、コンクリートブロックやパネルが背後の盛土圧に耐えるための剛構造であるため、極めて厚く、重量の重いものとなり、重機によって運搬・設置を行う必要がある。
また上下のブロックやパネルの連結や、背後の盛土との定着にも煩雑で工程の多い工事が要求される。
このために、従来の剛構造のブロックやパネルの代わりとなる軽量で、人力で運搬・設置が可能であって、施工の容易なパネルが求められていた。
【０００４】
しかしながら他方、従来のコンクリートパネルは、補強材として内部に鉄筋を配していたが、軽量にするために薄いものとするということは、鉄筋のかぶりも薄くなるということを意味している。
かぶりが薄くなるということは、内部の鉄筋の腐食の危険性が出てくるため、薄くするには限界が生じてくる。
【特許文献１】特開２００８−１３３６８２号公報
【発明の開示】
【発明が解決しようとする課題】
【０００５】
解決しようとする課題は、薄く軽量であって、且つ鉄筋の腐食の問題がなく、人力で運搬・設置が可能であるセメント系硬化材パネルと、それを使用した盛土表面の壁面構造を提供することである。
【課題を解決するための手段】
【０００６】
本発明にかかるセメント系硬化材パネルは、
多数本の合成樹脂繊維を絡ませた補強素材を、厚みの中に配してある。
本発明にかかる他のセメント系硬化材パネルは、
表裏面のうち少なくとも一方側の表面には、補強材料を貼付してある。
本発明にかかる他のセメント系硬化材パネルは、
表裏面のうち一方側の表面から、控え材を伸ばしてある。
更に、本発明にかかる他のセメント系硬化材パネルは、
前記した控え材が、補強材料の一部を伸ばしたものである。
【０００７】
本発明にかかる盛土表面の壁面構造は、
盛土表面に配置して盛土を覆う壁面構造であって、
盛土表面側に鋼製壁面枠を複数段に積み上げ、その鋼製壁面枠の背後に盛土を行うとともに、
盛土表面に沿って、水平方向に連続する通り調整材を取付け、
裏面側に控え材を取り付けたセメント系硬化材パネルを、鋼製壁面枠に添わして配設するとともに、
裏面の控え材を通り調整材から盛土の上に伸ばして、その上の盛土によって控え材を押えるものである。
本発明にかかる他の盛土表面の壁面構造は、
セメント系硬化材パネルは、上下に複数段積み上げ、上方の段のセメント系硬化材パネルの下端部が、下方の段のセメント系硬化材パネルの上端部表面側と重なっている。
【発明の効果】
【０００８】
本発明は以上のような構成より成り、以下の効果を得ることができる。
＜ａ＞セメント系硬化材の補強素材として、多数本の合成樹脂繊維を絡ませたものを使用するため、鉄筋の腐食の問題は全く生ぜず、薄くすることによってかぶりが小さくなることを考慮する必要が全く無い。
＜ｂ＞多数本の合成樹脂繊維を絡ませた補強素材を、パネルの厚みの中に埋め込むため、補強素材がセメント系硬化材を繋ぐ役目を果たし、折れや欠けの問題が生じ難い。
＜ｃ＞かぶり厚を考慮する必要がなく、極薄く成形できるため、軽量で、人力で運搬・設置が可能で、施工が著しく容易となる。
＜ｄ＞補強素材として使用するのが合成樹脂繊維である補強素材であって、製造費を安価にできる。
＜ｅ＞表裏面のうち少なくとも一方側の表面に補強材料を貼付することによって、更にパネルに折れやひび割れが生じないようにできる。
＜ｆ＞表裏面のうち一方側の表面から、控え材を伸ばすことによって、この控え材を盛土中に伸ばし、それを押えることによって簡単にパネルを盛土表面に定着・設置できる。
＜ｇ＞控え材を、補強材料の一部を伸ばしたものとすることにより、控え材のパネルへの固定手間を簡単に出来る。
＜ｈ＞薄形であるため、必要寸法に自由に切断することも可能である。
＜ｉ＞盛土表面に沿って、水平方向に連続する通り調整材を取付け、裏面側に控え材を取り付けたセメント系硬化材パネルを、鋼製壁面枠に添わして配設するとともに、裏面の控え材を通り調整材から盛土の上に伸ばして、その上の盛土によって控え材を押えることにより、隣り合うパネルを正確に揃えて設置でき、その施工も人力によって容易に行える。
＜ｊ＞セメント系硬化材パネルは、上下に複数段積み上げ、上方の段のセメント系硬化材パネルの下端部が、下方の段のセメント系硬化材パネルの上端部表面側と重なることにより、盛土の沈下があっても、その沈下分を重なり部分が吸収し、外観が悪くなることがない。
【実施例１】
【０００９】
以下、図に示す実施例に基づき、本発明を詳細に説明する。
＜１＞  補強素材
本発明のセメント系硬化材パネル１は、内部に埋設する補強素材２として、多数本の合成樹脂繊維３を絡ませたものを使用する。
使用する合成樹脂としては様々なものが使用できるが、ポリプロピレンなどの熱可塑性樹脂を押し出して、複雑に絡ませたものなどが使用可能である。
絡ませるとは、曲がりくねった繊維同士が複雑・多重に絡み合う状態であり、例えば、乾燥したヘチマの繊維が複雑に絡んでいるような状態と似ている。
合成樹脂繊維としては、数百ミクロンから数ｍｍ程度の太さを有するものが、ある程度の剛性を備えていて、補強素材として好適である。
【００１０】
＜２＞  セメント系硬化材
実施例では、セメント系硬化材４としてモルタルを使用するが、セメントミルクやコンクリートも使用可能である。
前記した補強素材２を、型枠５の中に敷き詰める。
補強素材２の厚みは、成形するパネルの厚みよりも若干薄くなっている。
つまりは、型枠５にセメント系硬化材４を充填したとき、パネル１の仕上がり面よりも５〜１０ｍｍ程度低くなるような厚みとしている。
セメント系硬化材４を型枠５に流し込んだ後、テーブルに振動を与えて、合成樹脂繊維の間に硬化材４が密に入り込むようにする。
型枠５としては、底面に凹凸模様などを有する化粧面板を使用することも可能である。
つまりは、型枠５に硬化材４を流しこんだとき、底面側がパネル１の表面側となり、上面側が、パネル１の裏面側となる。
以上のようにして成形した実施例のパネル１は、厚みが１０〜２０ｍｍであって、その平面の縦横の長さは、７００ｍｍ×９００ｍｍである。
以上記載した数値はあくまで例示であって、本発明にかかるセメント系硬化材パネル１は、様々なサイズのパネル１とすることが可能である。
【００１１】
＜３＞  補強材料
型枠５に振動を与えた後、未だ乾き切らないセメント系硬化材４の上面、つまりはパネル１としては、盛土側に向く裏面側に、補強材料６を貼付する。
補強材料６としては、不織布、織布、メッシュ布などが使用可能であるが、その他、木板や合成樹脂板なども使用可能である。
実施例では、補強材料６として不織布を使用し、パネル１の上部と下部には別の不織布を貼付している。
下部の補強材料６は、パネル１の上下中間よりも若干上まで貼付し、そこから背面側に補強材料６の一部を長く伸ばして、それを後に述べる控え材７としている。
補強材料６の接着には、硬化材４の接着力でなく、別途接着剤を使用して接着することも可能である。
この補強材料６と控え材７とは、ストック時や運送時に緩衝材の役割も果たすもので、図６に示すように控え材７部分をパネル１に巻きつけるようにする。
【００１２】
＜４＞  控え材
控え材７は、盛土の中に伸ばしてパネル１を定着する部材であって、前記したように補強材料６の一部を背面側に伸ばしてもよいが、補強材料６とは別体の部材を使用し、補強材料６の表面に貼付してもよい。
図５に示すように、パネル１内に一端を埋設して、残りを背面側に伸ばしたベルト状の部材も使用可能である。
【００１３】
＜５＞  盛土表面
以上のようなセメント系硬化材パネル１を使用して、盛土表面に壁面構造を構築する場合について説明する。
１０ｃｍ程度の間隔ごとに鉄筋８を縦横に配することによって網状に組んで、それをＬ形に屈曲した鋼製壁面枠９を設置し、その背後に盛土１０を盛る。
しかしながら、鉄筋８の間隔が比較的大きいため、鋼製壁面枠９の起立した面３０ｃｍと底面側の奥行き５０ｃｍを覆い、更に盛土１０したときにその上面の奥行き５０ｃｍ程度とを、断面コ字状に覆う内壁シート１６を配してある。
実施例では、内壁シート１６として不織布を使用している。
その盛土１０の上に鋼製壁面枠９を設置し、その背後に更に盛土１０する。
【００１４】
＜６＞  通り調整材
鋼製壁面枠９の上端部に、水平に通り調整材１１を取り付ける。
通り調整材１１は断面Ｌ形の部材であって、水平面とその盛土表面側に下方に垂下する面とから成っている。
この通り調整材１１の幅方向に長い長孔１３に、鋼製壁面枠９の鉄筋８に繋いだ寸切りボルト１４を通し、その螺合したナット１５・１５によって通り調整材１１を上下から挟んで固定してある。
場合によっては、鋼製壁面枠９の鉄筋８のうち、一部の幾本かを他の鉄筋８よりも上方に突出させ、その突出させた鉄筋８の周囲にネジ切りを施し、それを寸切りボルト代わりに使用して通り調整材１１の長孔１３に通し、鉄筋８に螺合したナット１５・１５によって通り調整材１１を上下から挟んで固定することも考えられる。
【００１５】
＜７＞  パネルの設置
セメント系硬化材パネル１の背面側を、通り調整材１１の表面側に接し、控え材７を通り調整材１１の水平面と同じ高さに維持した状態で、背後の盛土１０の上に敷き伸ばす。
控え材７の上に土砂を載せて押えるなり、盛土１０して押え、パネル１を定着する。
【００１６】
＜８＞  パネルの積み上げ
下段のパネル１の設置の後、前記した鋼製壁面枠９の設置、盛土１０を繰り返し、適宜位置に通り調整材１１を取り付ける。
前記した手順で、再びパネル１の設置・定着を行うが、上段となるパネル１の下端部は、下段のパネル１の表面側上端部と重なるようにする。
このように上段のパネル１と下段のパネル１とを重ねることで、ヨロイ壁のような趣をかもし出すとともに、上段のパネル１の下端面と下段のパネル１の上端面とを突き合わせるという施工の困難性を回避できる。
また、背後の盛土が経年変化によって沈下したとき、上段と下段のパネル１の重なり代によって沈下量を吸収でき、外観が悪くならないという効果も得られる。
【００１７】
＜９＞  盛土補強材
図において１２は、ジオテキスタイルなどの盛土補強材であって、盛土の適宜位置に挟み込んでいる。
【実施例２】
【００１８】
図５に示すのは控え材１１の他の実施例であって、パネル１内に一端を埋設して、残りを背面側に伸ばしたベルト状の部材である。
【図面の簡単な説明】
【００１９】
【図１】セメント系硬化材パネルの斜視図
【図２】型枠にて成形状態の斜視図
【図３】セメント系硬化材パネルの設置状態の斜視図
【図４】盛土表面の壁面構造の断面図
【図５】セメント系硬化材パネルの他の実施例の斜視図
【図６】パネルを積み重ねた状態の側面図
【符号の説明】
【００２０】
１：セメント系硬化材パネル
２：補強素材
３：合成樹脂繊維
４：セメント系硬化材
５：型枠
６：補強材料
７：控え材
８：鉄筋
９：鋼製壁面枠
１０：盛土
１１：通り調整材
１２：盛土補強材
１３：長孔
１４：寸切りボルト
１４：ナット
１６：内壁シート
【図１】
2010150777.tif 000003
【図２】
2010150777.tif 000004
【図３】
2010150777.tif 000005
【図４】
2010150777.tif 000006
【図５】
2010150777.tif 000007
【図６】
2010150777.tif 000008